【手続補正書】
【提出日】平成17年4月27日(2005.4.27)
【手続補正１】
【補正対象書類名】明細書
【補正対象項目名】全文
【補正方法】変更
【補正の内容】
【書類名】      明細書
【発明の名称】  水切り部材受具並びに水切り装置
【特許請求の範囲】
【請求項１】  流し台天面部のシンク脇に載置し得、且つ水切り部材を載置支承し得るトレー体の底部に排水孔を設け、この排水孔に排水方向を規制する導水部を設けてトレー体で受けた水を、排水孔、導水部を介して排水し得るように構成し、この導水部を旋回自在に設けて排水方向を変更し得るように構成し、前記流し台天面部に前記トレー体を載置した際、シンク脇に臨設するトレー体の外周縁に向けて前記導水部を水平旋回して、前記導水部の排水方向をシンク方向に変更設定して、この導水部を介して前記シンク内へ排水し得るように構成したことを特徴とする水切り部材受具。
【請求項２】  前記導水部は前記トレー体の隅部に旋回自在に設け、この導水部を前記シンクへ向けて前記トレー体の外方へ向けた際に、この導水部がシンク脇に臨設するトレー体の外周縁よりも外方へ突出するように構成したことを特徴とする請求項１記載の水切り部材受具。
【請求項３】  前記導水部の旋回移動によって排水阻止状態と排水状態とを切り替える排水阻止機構を前記排水孔と導水部とのいずれか一方若しくは双方に設け、この導水部が前記シンク方向を向かずにトレー体の外周縁より外方へ突出しない旋回領域若しくはこのうちの所定領域では排水を阻止する構成としたことを特徴とする請求項１，２のいずれか１項に記載の水切り部材受具。
【請求項４】  前記排水孔と前記導水部とに通水連通部を設け、この通水連通部を、前記導水部が前記シンク方向を向かずにトレー体の外周縁より外方へ突出しない旋回領域若しくはこのうちの所定領域では非連通状態として排水を阻止し、この排水阻止状態から導水部がシンク方向を向くように旋回移動した際に連通状態として排水可能とする排水阻止機構を前記排水孔と導水部とのいずれか一方若しくは双方に設けたことを特徴とする請求項１〜３のいずれか１項に記載の水切り部材受具。
【請求項５】  前記排水孔に前記導水部の基部を旋回自在に連結し、この排水孔と導水部の基部とに導水部の旋回位置によって連通する前記通水連通部を設けると共に、この通水連通部は、導水部がシンク方向を向くように旋回移動した際に連通する構成としたことを特徴とする請求項４記載の水切り部材受具。
【請求項６】  前記請求項１〜５のいずれか１項に記載の水切り部材受具と、この水切り部材受具のトレー体に載置支承する水切り棚や水切り籠などの水切り部材とから成ることを特徴とする水切り装置。
【発明の詳細な説明】
【０００１】
【発明の属する技術分野】
本発明は、流し台のシンク脇に設置して使用する水切り部材受具並びに水切り装置に関するものである。
【０００２】
【従来の技術及び発明が解決しようとする課題】
従来、例えば、水溜用のトレー体内に水切り棚や水切り籠などの水切り部材を配設した構成の水切り装置がある。
【０００３】
この水切り装置は、流し台天面部のシンク脇に載置しておき、シンク内で洗浄した食器などを水切り部材の上に一時載せておくと、食器から水が切れてトレー体内に落下し溜まるもので、水切り部材上の食器などを片付けた後は、トレー体内に溜まった水をシンクへ流すようにして使用するものであった。
【０００４】
本発明は、この種水切り装置の改良に係るもので、水切り後にトレー体内の水をシンクに流す作業を要せずとも、トレー体内に受けた水が自動的にシンクへ排水される極めて便利な水切り部材受具並びに水切り装置を提供するものである。
【０００５】
【課題を解決するための手段】
添付図面を参照して本発明の要旨を説明する。
【０００６】
流し台天面部１のシンク２脇に載置し得、且つ水切り部材３を載置支承し得るトレー体４の底部に排水孔５を設け、この排水孔５に排水方向を規制する導水部６を設けてトレー体４で受けた水を、排水孔５、導水部６を介して排水し得るように構成し、この導水部６を旋回自在に設けて排水方向を変更し得るように構成し、前記流し台天面部１に前記トレー体４を載置した際、シンク２脇に臨設するトレー体４の外周縁に向けて前記導水部６を水平旋回して、前記導水部６の排水方向をシンク２方向に変更設定して、この導水部６を介して前記シンク２内へ排水し得るように構成したことを特徴とする水切り部材受具に係るものである。
【０００７】
また、前記導水部６は前記トレー体４の隅部に旋回自在に設け、この導水部６を前記シンク２へ向けて前記トレー体４の外方へ向けた際に、この導水部６がシンク２脇に臨設するトレー体４の外周縁よりも外方へ突出するように構成したことを特徴とする請求項１記載の水切り部材受具に係るものである。
【０００８】
また、前記導水部６の旋回移動によって排水阻止状態と排水状態とを切り替える排水阻止機構７を前記排水孔５と導水部６とのいずれか一方若しくは双方に設け、この導水部６が前記シンク２方向を向かずにトレー体４の外周縁より外方へ突出しない旋回領域若しくはこのうちの所定領域では排水を阻止する構成としたことを特徴とする請求項１，２のいずれか１項に記載の水切り部材受具に係るものである。
【０００９】
また、前記排水孔５と前記導水部６とに通水連通部８を設け、この通水連通部８を、前記導水部６が前記シンク２方向を向かずにトレー体４の外周縁より外方へ突出しない旋回領域若しくはこのうちの所定領域では非連通状態として排水を阻止し、この排水阻止状態から導水部６がシンク２方向を向くように旋回移動した際に連通状態として排水可能とする排水阻止機構７を前記排水孔５と導水部６とのいずれか一方若しくは双方に設けたことを特徴とする請求項１〜３のいずれか１項に記載の水切り部材受具に係るものである。
【００１０】
また、前記排水孔５に前記導水部６の基部を旋回自在に連結し、この排水孔５と導水部６の基部とに導水部６の旋回位置によって連通する前記通水連通部８を設けると共に、この通水連通部８は、導水部６がシンク２方向を向くように旋回移動した際に連通する構成としたことを特徴とする請求項４記載の水切り部材受具に係るものである。
【００１１】
また、前記請求項１〜５のいずれか１項に記載の水切り部材受具と、この水切り部材受具のトレー体４に載置支承する水切り棚や水切り籠などの水切り部材３とから成ることを特徴とする水切り装置に係るものである。
【００１２】
【発明の実施の形態】
好適と考える本発明の実施の形態（発明をどのように実施するか）を、図面に基づいてその作用効果を示して簡単に説明する。
【００１３】
流し台天面部１のシンク２脇にトレー体４を載置し、このトレー体４上に水切り部材３を載置する。
【００１４】
また、この際、シンク２脇に臨設するトレー体４の外周縁に向けてトレー体４底部の導水部６を水平旋回させて排水方向をシンク２方向に向けておく。
【００１５】
水切り部材３上にシンク２内で洗浄した食器などを載置すると、食器などに付着した水滴が水切り部材３を介してトレー体４内へと落下するが、トレー体４が受けた水は、トレー体４内で溜まることなく、排水孔５並びにシンク２に向けた導水部６を介してシンク２内へと排水することになる。
【００１６】
従って、導水部６を予めシンク２に向けておくことで、トレー体４内に落ちた水が自動的にシンク２へと排出されるので、従来製品のように水切りした食器などを片付けた後にトレー体内に溜まった水を流すような手間がなく、非常に便利となり、また、導水部６をシンク２へ向ける作業も導水部６を単に旋回させるだけで容易に行うことができる。
【００１７】
また、例えば、前記導水部６は前記トレー体４の隅部に旋回自在に設け、この導水部６を前記シンク２へ向けて前記トレー体４の外方へ向けた際に、この導水部６がシンク２脇に臨設するトレー体４の外周縁よりも外方へ突出するように構成すれば、シンク２脇にトレー体４を設置した際にこのトレー体４より外方へ突出する導水部６を確実にシンク２内の上方へ配設することができ、これにより導水部６からの排水が流し台天面部１にこぼれるようなことなく、確実にシンク２内へ排水されることになり、一層実用的となる。
【００１８】
また、例えば、前記導水部６の旋回移動によって排水阻止状態と排水状態とを切り替える排水阻止機構７を前記排水孔５と導水部６とのいずれか一方若しくは双方に設け、この導水部６が前記シンク２方向を向かずにトレー体４の外周縁より外方へ突出しない旋回領域若しくはこのうちの所定領域では排水を阻止する構成とすれば、導水部６をシンク２に向けていない時に誤って水切り棚３Ａ上に洗浄した食器などを載置しても、トレー体４で受けた水が導水部６から流し台天面部１に流れ出てしまうような不都合がなく、一層実用的となる。
【００１９】
また、例えば、前記排水孔５と前記導水部６とに通水連通部８を設け、この通水連通部８を、前記導水部６が前記シンク２方向を向かずにトレー体４の外周縁より外方へ突出しない旋回領域若しくはこのうちの所定領域では非連通状態として排水を阻止し、導水部６がシンク２方向を向くように旋回移動した際に連通状態として排水可能とする排水阻止機構７を前記排水孔５と導水部６とのいずれか一方若しくは双方に設ければ、前記作用・効果を確実に発揮する排水阻止機構７を簡易に設計実現可能となり、一層実用的となる。
【００２０】
また、例えば、前記排水孔５に前記導水部６の基部を旋回自在に連結し、この排水孔５と導水部６の基部とに導水部６の旋回位置によって連通する前記通水連通部８を設けると共に、この通水連通部８は、導水部６がシンク２方向を向くように旋回移動した際に連通する構成とすれば、前記作用・効果を確実に発揮する排水阻止機構７を一層簡易構造により設計実現可能となり、一層実用的となる。
【００２１】
【実施例】
本発明の具体的な実施例について図面に基づいて説明する。
【００２２】
本実施例は、流し台天面部１のシンク２脇に載置し得、且つ水切り部材３を載置支承し得るトレー体４の底部に排水孔５を設け、この排水孔５に排水方向を規制する導水部６を設けてトレー体４で受けた水を、排水孔５、導水部６を介して排水し得るように構成し、この導水部６を旋回自在に設けて排水方向を変更し得るように構成し、少なくともこの導水部６を前記シンク２へ向けた際、前記導水部６から排水される水は、シンク２内へ排水されるように構成したことを特徴とする水切り部材受具に係るものである。
【００２３】
また、本実施例は、流し台天面部１のシンク２脇に載置する水受用のトレー体４と、このトレー体４上に載置支承する水切り部材３とから成る水切り装置に係るものである。
【００２４】
具体的に説明すると、水切り部材３は、図１に示すように、線材を組んで形成した略方形板状の水切り棚30を採用し、この水切り棚３Ａの四隅付近に位置する桟杆（線材）の一部を下方へ屈曲形成してトレー体４の内側底面に載置する脚部30Ａとしている。
【００２５】
トレー体４は、図２に示すように、水切り棚３Ａを収納配設し得る大きさの略方形状の浅底容体に形成し、底部四隅に脚部４Ａを一体的に垂設して、この脚部４Ａにより流し台天面部１から底部が所定高さ浮上した状態で載置する構成としている。
【００２６】
また、このトレー体４の内側（上面側）の底面部四隅に載置面部４Ｂを形成し、この載置面部４Ｂに水切り棚30の前記脚部30Ａや四隅の周縁部を載置することで水切り棚30をトレー体４上に安定的に載置できるように構成している。
【００２７】
また、図７では、水切り部材３の別例として水切り籠31を採用した場合を示しているもので、この水切り籠31を採用した場合も、載置面部４Ｂに底部四隅の脚部31Ａを載置することで、水切り籠31をトレー体４上に安定的に載置できる構成としている。
【００２８】
本実施例は、トレー体４の底部に排水孔５を設け、この排水孔５に排水方向を規制する導水部６を設け、この導水部６を旋回自在に設けて排水方向を変更し得るように構成し、少なくともこの導水部６を前記シンク２へ向けた際、前記トレー体４で受けた水は排水孔５並びに導水部６を介してシンク２内へ排水し得るように構成している。
【００２９】
具体的に説明すると、排水孔５は、前記トレー体４の四隅のうちの一の底部隅部付近に丸孔を貫通形成して構成している。また、図２に示すように、トレー体４の内側底面は、この排水孔５に向かって傾斜する形状に形成し、このトレー体４内底面で受けた水が排水孔５に向かって流れ込むように構成している。
【００３０】
また、この排水孔５の孔縁に沿って、トレー体４の外側底面より下方へ円筒状に突出する突出筒部５Ａを形成している。
【００３１】
導水部６は、図３に示すように、長さのある断面コ字状の樋形体に形成し、基端部には前記突出筒部５Ａに被嵌連結する円筒状の連結筒部６Ａを上方へ向けて突設している。
【００３２】
また、排水孔５と導水部６の連結構造は、前記突出筒部５Ａの外周面にこの突出筒部５Ａの周方向に水平に長さを有する凸条９を突設する一方、前記連結筒部６Ａの内周面にこの連結筒部６Ａの周方向に水平に長さを有する凹条10を凹設し、この連結筒部６Ａを突出筒部５Ａに被嵌した上、凸条９を凹条10に圧入係合することで突出筒部５Ａに対して連結筒部６Ａが抜け止め状態となり、且つ係合する凸条９と凹条10とをガイドとして導水部６を突出筒部５Ａに対して水平方向に３６０度旋回可能となるように連結した構造としている。
【００３３】
即ち、本実施例では、前記脚部４Ａによって生じる流し台天面部１とトレー体４底面との間の浮上空間部に導水部６を旋回自在に設けた構成としているもので、前述したこの脚部４Ａによるトレー体４底部の流し台天面部１に対する所定の浮上高さは、導水部６が流し台天面部１に接触することなく旋回動できる高さに設定構成している。
【００３４】
また、本実施例では、前記導水部６は、この導水部６を前記シンク２へ向けて前記トレー体４の外方へ向けた際に、トレー体４の外周縁よりも外方へ突出するように構成している。
【００３５】
具体的に説明すると、図４に示すように、前記排水孔５を形成した隅部付近に近接するトレー体４の外周の二縁に対して導水部６を外側に向けた際に、この導水部６の先端部がこの外周の二縁よりもトレー体４の外側に突出するように導水部６の長さ寸法を設定構成している。
【００３６】
従って、図１に示すように、シンク２脇に前記外周の二縁が臨設するようにしてトレー体４を設置して導水部６をシンク２に向けた際には、このトレー体４より外方へ突出する導水部６を確実にシンク２の上方へ配設することができ、これにより導水部６からの排水を流し台天面部１にこぼすことなく、確実にシンク２内へ排水することができる構成としている。
【００３７】
また、本実施例では、前記導水部６が前記シンク２方向を向かずにトレー体４の外周縁より外方へ突出しない旋回領域内の所定位置で排水を阻止する排水阻止機構７を排水孔５と導水部６とに設けている。
【００３８】
具体的に説明すると、前記排水孔５は、図５，図６に示すように、前記突出筒部５Ａを有底筒状とすると共に、図４に示すようにこの突出筒部５Ａ底面の偏心位置に通水孔部８Ａを貫通形成している。
【００３９】
また、導水部６は、図５，図６に示すように、前記連結筒部６Ａ内の上下方向の中程に、突出筒部５Ａに連結筒部６Ａを連結した際に突出筒部５Ａの底面に面接する阻止面部７Ａを、この連結筒部６Ａの導水部６先端側の略半分を閉塞するようにして設け、この阻止面部７Ａで閉塞されない連結筒部６Ａ中程の間隙部８Ｂは、阻止面部７Ａの下方に形成した空間部を介して導水部６の樋状部分と連通する構成としている。
【００４０】
そして、この導水部６を旋回させて阻止面部７Ａが突出筒部５Ａの底面に面接し、且つ前記通水孔部８Ａを閉塞した際には排水が阻止され、通水孔部８Ａが阻止面部７Ａのない位置まで旋回移動すると通水孔部８Ａと連結筒部６Ａとが連通して前記通水連通部８が形成され、この通水連通部８を介してトレー体４で受けた水が導水部６より排水される構成としている。
【００４１】
更に詳しく説明すると、本実施例では、図４において、破線で示した位置に導水部６がある時に排水阻止機構７によって排水が阻止され、この位置以外の旋回領域では、前記排水部６から排水が行われるように構成している。即ち、図４において、二点鎖線で示したトレー体４の外周縁より導水部６を突出させた状態はもちろん、これ以外に一点鎖線で示したトレー体４の外周縁より導水部６が突出しない状態の位置でも導水部６から排水が行われる構成としている。
【００４２】
従って、導水部６がシンク２方向を向かずにトレー体４の外周縁より外方へ突出しない旋回領域における所定位置（図４の破線で示した位置）では通水孔部８Ａが阻止面部７Ａに閉塞されて排水阻止状態となり、この排水阻止位置から導水部６をシンク２方向となる最寄のトレー体４の外周の二縁に向けて旋回させると、阻止面部７Ａによる通水孔部８Ａの閉塞状態が開放するように阻止面部７Ａが移動して排水阻止状態が解除する構成としている。
【００４３】
尚、導水部６がシンク２方向を向かずにトレー体４の外周縁より外方へ突出しない旋回領域若しくはこのうちの所定領域では排水を阻止し、導水部６がシンク２方向を向いてトレー体４の外周縁より外方へ突出する旋回領域若しくはこのうちの所定領域では排水阻止状態を解除するように切り替わる排水阻止機構７を構成しても良く、このように構成した場合には、導水部６をシンク２に向けた時にだけ排水されることになるので、導水部６をシンク２に向けていない時に誤って水切り部材３上に洗浄した食器などを載置しても、トレー体４で受けた水が導水部６から流し台天面部１に流れ出てしまうような不都合が確実に防止されることになる。
【００４４】
また、本実施例では、前記導水部６を前記排水阻止機構７による排水阻止状態で位置決めする位置決め機構11を備えている。
【００４５】
具体的に説明すると、通水孔部８Ａの孔縁を下方へ若干突出させて突出筒部４Ａの底面に位置決め突部11Ａを形成すると共に、この位置決め突部11Ａが圧入係合する位置決め凹部11Ｂを前記阻止面部７Ａの上面部に形成し、この位置決め突部11Ａと位置決め凹部11Ｂとを圧入係合することで前記導水部６を排水阻止状態で位置決めすることができる構成としている。
【００４６】
本実施例では、この位置決め機構11による導水部６の位置決め状態が図４に破線で示した位置となるように構成している。
【００４７】
従って、この位置決め機構11により導水部６を位置決め状態としておくことで確実にトレー体４内の水漏れを防ぐことができることになる構成としている。よって、不使用時にはこの位置決め排水阻止状態としておくことで、誤操作により水漏れすることもないし、体裁も導水部６がトレー体４の下に隠れて従来品と同等になる構成としている。
【００４８】
また、本実施例では、排水孔５を備えた前記トレー体４と前記導水部６は樹脂製とし、前記排水阻止機構７、前記通水連通部８、前記凸条９、前記凹条10、前記位置決め機構11の各構成は、トレー体４と導水部６とを樹脂成形するにあたって一体成形することで構成している。よって、前記各構成を有するトレー体４と導水部６とは簡易に設計実現可能な構成であり、量産性に秀れ、安価に構成可能となる構成としている。
【００４９】
尚、本発明は、本実施例に限られるものではなく、各構成要件の具体的構成は適宜設計し得るものである。
【００５０】
また、本実施例では、水切り部材３とトレー体４とから成る水切り装置を示したが、市販の水切り棚や水切り籠などを水切り部材３として載置使用できる水切り部材受具（トレー体４）を単品で商品としても良い。
【００５１】
【発明の効果】
本発明は上述のように構成したから、導水部を水平旋回させて簡単に排水方向を変更できるし、導水部を予めシンクに向けておくことで、水切り部材上で水切りしてトレー体で受けた水が自動的にシンクへと排出されるので、従来製品のように食器などの洗浄作業終了後にトレー体内に溜まった水をシンクに流すような手間が不要となる非常に便利で実用性に秀れた画期的な水切り棚受け具となる。
【００５２】
また、請求項２記載の発明においては、シンク脇にトレー体を設置した際にこのトレー体より外方へ突出する導水部を確実にシンク内の上方へ配設することができ、これにより導水部からの排水がシンク外へ流れることなく、確実にシンク内へ排水されることになる極めて実用性に秀れた構成の水切り部材受具となる。
【００５３】
また、請求項３記載の発明においては、排水阻止機構によって導水部をシンクに向けた時だけ排水されるので、導水部をシンクに向けていない時に誤って水切り部材上に洗浄した食器などを載置しても、トレー体で受けた水が導水部から流し台天面部に流れ出てしまうような不都合がない極めて実用性に秀れた構成の水切り部材受具となる。
【００５４】
また、請求項４記載の発明においては、前記作用・効果を確実に発揮する排水阻止機構を簡易に設計実現可能となる一層実用性に秀れた構成の水切り部材受具となる。
【００５５】
また、請求項５記載の発明においては、前記作用・効果を確実に発揮する排水阻止機構を一層簡易構造により設計実現可能となり、一層実用的となる。
【００５６】
また、請求項６記載の発明においては、前記作用・効果を確実に発揮する極めて実用性に秀れた画期的な水切り部材付の水切り装置となる。
【図面の簡単な説明】
【図１】
本実施例の使用状態を示す説明斜視図である。
【図２】
本実施例のトレー体を示す斜視図である。
【図３】
本実施例のトレー体と導水部との部分拡大分解斜視図である。
【図４】
本実施例の導水部の作動説明図である。
【図５】
本実施例の排水阻止機構により排水阻止状態とした場合を示す部分拡大断面図ある。
【図６】
本実施例の排水可能状態を示す部分拡大断面図である。
【図７】
水切り部材の別例での使用状態を示す説明斜視図である。
【符号の説明】
１  流し台天面部
２  シンク
３  水切り部材
４  トレー体
５  排水孔
６  導水部
７  排水阻止機構
８  通水連通部